(57)【要約】画像表示装置（１）は背面を中央の厚型部（６）と周囲の薄型部（５）とで形成する。厚型部（６）の両側の薄型部（５）に取り付け具（１０）を固定し、壁面に固定した取り付け用壁受け具に取り付け具を係止することで画像表示装置の壁面からの突出を抑制する。取り付け用壁受け具は、第一壁部材と第二壁部材に分割し、取り付け具（１０）の上部に設けたアーム部（１２）を第一壁部材の係止受け部に係止させ、取り付け具の下部に設けた第一、第二固定部を第二壁部材の第一、第二折り曲げ片に固定する。取り付け具（１０）の上部には係止片（１２ａ）が設けられ、係止片（１２ａ）に追加部材を連結して他端を厚型部（６）の側面に固定してもよい。第二壁部材にストッパーを設け、画像表示装置の下部を壁面から離間させ傾斜させると、雄型端子を側面の雌型端子と接合し易い。
2013008286.tif 000002
【特許請求の範囲】
【請求項１】
画像表示装置を壁面に固定する画像表示装置の取り付け機構であって、
前記画像表示装置の背面が中央の厚型部とその周辺部の薄型部とで段差が形成されてなり、前記厚型部を挟む両側の前記薄型部に取り付け具をそれぞれ固定し、前記取り付け具を壁面に固定した取り付け用壁受け具に係止することで前記画像表示装置を取り付けるようにしたことを特徴とする画像表示装置の取り付け機構。
【請求項２】
前記取り付け用壁受け具は、前記取り付け具の上部に設けた係止部を係止可能な係止受け部と前記取り付け具の下部の取り付け部を固定する固定受け部とを、高さ方向の異なる位置にそれぞれ設けたことを特徴とする請求項１に記載された画像表示装置の取り付け機構。
【請求項３】
前記取り付け用壁受け具は、前記係止受け部を設けた第一壁部材と前記固定受け部を設けた第二壁部材と、に分割されている請求項２に記載された画像表示装置の取り付け機構。
【請求項４】
前記画像表示装置の背面における厚型部の側面には電気線及び／または信号線を接合する端子が配列されており、前記取り付け用壁受け具には前記画像表示装置の厚型部の前記端子を壁面に対して近接する位置から離間する位置まで変位させて支えるための支持部材が設けられている請求項１乃至３のいずれか１項に記載された画像表示装置の取り付け機構。
【請求項５】
前記画像表示装置の背面における薄型部に固定された取り付け具の上部には、前記厚型部の側面に締結具で固定可能な係止片が設けられており、該係止片に着脱可能な追加部材を連結して長さを延長させ、該追加部材の他端を前記厚型部の側面に前記締結具で固定することで、前記画像表示装置を前記追加部材の長さに応じて前記壁面に対して傾斜状態で保持させてなる請求項１乃至４のいずれか１項に記載された画像表示装置の取り付け機構。
【請求項６】
前記取り付け具の上部に設けたアーム部に前記係止片が設けられている請求項５に記載された画像表示装置の取り付け機構。
【発明の詳細な説明】
【技術分野】
【０００１】
本発明は、液晶ディスプレイ等の各種のディスプレイからなる薄型等の画像表示装置を壁面に取り付ける壁掛け方式の画像表示装置の取り付け機構に関する。
【背景技術】
【０００２】
近年、パソコンやテレビ等のディスプレイ用モニターを備えた表示装置として、液晶ディスプレイやプラズマディスプレイ等に代表される薄型の表示装置が広く普及している。これらの表示装置の中には、床面に設置したスタンドに取り付けることなく、室内の壁面に取り付けて壁掛け方式のディスプレイとして観察できるようにしたものがある。
このような壁掛け方式を採用すると、スタンドや置き台が不要であり、室内空間を占有することがないので室内の広いスペースを有効利用できる上に、壁掛けディスプレイが壁面に飾った絵画のようにインテリアとしても利用できるため、審美性も向上するという利点もある。【０００３】
このような壁掛けディスプレイとして、例えば特許文献１に記載されたものが提案されている。この壁掛け方式の画像表示装置は、ディスプレイ画面を有するモニター本体の裏面がキャビネットによって覆われており、裏面の両側部と上部は略Ｕ字状の薄型部とされ、その他の略四角形の領域がキャビネットとして覆われて肉厚の厚型部とされている。そして、キャビネットには複数の貫通孔が穿孔され、これらの貫通孔にインサートナットが螺合されて板状の金具の貫通孔を介してボルトがインサートナットの貫通孔に螺合する。更に金具には軸部を介して壁面に取り付けられた取り付け金具が設けられている。
【先行技術文献】
【特許文献】
【０００４】
【特許文献１】特開２００７−２３３０１８号公報
【発明の概要】
【発明が解決しようとする課題】
【０００５】
しかしながら、上述した画像表示装置は、画像表示装置の背面であるキャビネットに溶着されたインサートナットを介して金具が固定され、更に金具から軸部を介して取り付け金具が壁面に取り付けられているから、概ね金具から取り付け金具までの厚みを介して画像表示装置が壁面から室内に突出することになり、画像表示装置の壁面からの突出寸法が大きいという欠点がある。
しかも、軸部を介して比較的面積の小さい取り付け金具に連結すると、画像表示装置の荷重が軸部や取り付け金具の狭い断面積にかかるため、単位面積当たりの荷重が大きく取り付け状態での耐久性に問題が生じ易い。【０００６】
一方、上述の画像表示装置で、軸部を設けないで、キャビネットやこれに取り付けた金具の背面に隙間を設けず、直接、壁面に固定した取り付け金具を連結すると、画像表示装置の背面のキャビネット内に設けた電源装置や回路基板が通電によって発熱するため、熱を画像表示装置の外部に逃がして放熱することが十分できないという欠点が生じる。【０００７】
本発明は、このような課題に鑑みて、画像表示装置の背面からの放熱性を確保しながらも壁面からの突出長さを短く設定して室内のスペースを有効利用できるようにした画像表示装置の取り付け機構を提供することを目的とする。
【課題を解決するための手段】
【０００８】
本発明による画像表示装置の取り付け機構は、画像表示装置を壁面に固定する画像表示装置の取り付け機構であって、画像表示装置の背面が中央の厚型部とその周辺部の薄型部とで段差が形成されてなり、厚型部を挟む両側の薄型部に取り付け具をそれぞれ固定し、取り付け具を壁面に固定した取り付け用壁受け具に係止することで画像表示装置を取り付けるようにしたことを特徴とする。
本発明による画像表示装置の取り付け機構によれば、画像表示装置の背面を壁面に取り付ける際、中央の厚型部の両側に設けられた薄型部に取り付け具を固定して、取り付け具を壁面に固定した取り付け用壁受け部に係止するようにしたから、厚型部に取り付け具を設けて壁面に固定したものと比較して壁面からの突出長さを小さく設定できることになり、室内の有効スペースを広く取ることができる。
なお、取り付け具を設ける厚型部の両側の薄型部は横方向の両側と上下方向の両側のいずれであってもよい。【０００９】
また、取り付け用壁受け具は、取り付け具の上部に設けたアーム部を係止可能な係止受け部と取り付け具の下部の取り付け部を固定する固定受け部とを、高さ方向の異なる位置にそれぞれ設けたことを特徴とする。
取り付け用壁受け具によって画像表示装置の背面の取り付け具の上部と下部に分かれた取り付けたアーム部と取り付け部とを、取り付け用壁受け具の係止受け部と固定受け部とでそれぞれ支持することで画像表示装置を確実に支持できる。【００１０】
また、取り付け用壁受け具は、係止受け部を設けた第一壁部材と固定受け部を設けた第二壁部材と、に分割されていることが好ましい。
取り付け用壁受け具を第一壁部材と第二壁部材とに分割して構成することで、これら第一及び第二壁部材間に画像表示装置の厚型部を配設させることができることになり、取り付け用壁受け具の厚み分だけ画像表示装置と壁面との間隙を広げることができて厚型部に内蔵する機器の放熱性を向上できる。【００１１】
また、画像表示装置の背面における厚型部の側面には電気線及び／または信号線を接合する端子が配列されており、取り付け用壁受け具には画像表示装置の厚型部の端子を設けた側面を壁面に対して近接する位置から離間する位置まで変位させて支えるための支持部材が設けられていることが好ましい。
画像表示装置の厚型部が壁面に近接した位置に保持されていると間隙が小さいために雌型の端子に対して雄型の端子を接合し難いが、端子を設けた側面を支持部材によって壁面に対して近接する位置から離間する位置まで変位させて支えることで、雌型の端子に対して雄型の端子の接合を容易に行うことができる。支持部材として、取り付け用壁受け具に設けられていて起立可能なストッパーや、取り付け用壁受け具と取り付け具を連結する索状部材等を用いることができる。【００１２】
また、画像表示装置の背面における薄型部に固定された取り付け具の上部には、厚型部の側面に締結具で固定可能な係止片が設けられており、該係止片に着脱可能な追加部材を連結して長さを延長させ、該追加部材の他端を厚型部の側面に締結具で固定することで、画像表示装置を追加部材の長さに応じて壁面に対して傾斜状態で保持させていてもよい。
取り付け具の上部の係止片に追加部材を連結して追加部材の他端を厚型部の側面に締結具で固定することで、画像表示装置の上部を下部より壁面から離間した俯角を持たせた傾斜状態に保持することができ、観察者が下方から画像表示装置を観察し易い。【００１３】
また、取り付け具の上部に設けたアーム部に係止片が設けられていることが好ましく、アーム部を取り付け用壁受け具の係止受け部で係止させると共に、その先端側の係止片を設けることで、係止片を厚型部の側面に固定したり、係止片に追加部材を装着して追加部材の他端を厚型部の側面に固定したりすることができ、取り付け具によって画像表示装置に固定したり、画像表示装置を取り付け用壁受け具へ平行に固定したり、追加部材を追加することで俯角を持たせて支持したりすることができる。
【発明の効果】
【００１４】
上述したように、本発明による画像表示装置の取り付け機構によれば、画像表示装置の背面における厚型部の両側に設けられた薄型部に取り付け具を固定して、壁面に固定した取り付け用壁受け具に係止したから、厚型部に取り付け具を設けて壁面に固定した画像表示装置と比較して、壁面からの突出長さを小さく設定できることになり、室内の有効スペースを広く取ることができると共に審美性が高い。
しかも、画像表示装置の取り付け具と壁面に固定した取り付け用壁受け具とを係止するようにしたから、少なくとも取り付け用壁受け具の取り付け具に対向する突出部分だけ画像表示装置の背面の厚型部と壁面との間隙を形成できるから厚型部からの放熱性を確保できる。
【図面の簡単な説明】
【００１５】
【図１】本発明の第一の実施形態による画像表示装置の背面を壁面に固定した取り付け用壁受け具に固定した状態を壁面側から見た取り付け機構の斜視図である。
【図２】画像表示装置の背面と取り付け具を分離して示す分解斜視図である。
【図３】図１に示す取り付け用壁受け具を画像表示装置側からみた斜視図である。
【図４】取り付け具のアーム部と第一壁部材の係止受け部との係止状態を示す要部分解斜視図である。
【図５】取り付け具の固定部と第二壁部材の固定受け部との固定状態を示す要部側面図である。
【図６】第二壁部材のストッパーを示す斜視図である。
【図７】第二壁部材のストッパーによって画像表示装置を傾斜状態に保持する側面図である。
【図８】取り付け具のアーム部先端の係止片に追加部材を連結固定した要部斜視図である。
【図９】画像表示装置を壁面に対して俯角を持たせた状態の要部斜視図である。
【図１０】本発明の第二実施形態による画像表示装置を縦置きするために固定した取り付け具で壁面の取り付け用壁受け具に固定した状態を壁面側から見た取り付け機構の斜視図である。
【図１１】図１０に示す画像表示装置に取り付け具を固定した状態を示す斜視図である。
【図１２】取り付け用壁受け具を画像表示装置側から見た斜視図である。
【図１３】取り付け具のアーム部と第一壁部材の係止受け部との係止状態を示す要部斜視図である。
【図１４】取り付け具の固定部と第二壁部材の固定受け部との係合状態を示す要部斜視図である。
【図１５】第一壁部材に設けたチェーンによって画像表示装置を傾斜状態に保持する斜視図である。
【発明を実施するための形態】
【００１６】
以下、本発明の実施形態について添付図面に基づいて説明する。
図１乃至図９によって本発明の第一の実施形態による画像表示装置の取り付け機構について説明する。
図１及び図２に示す画像表示装置１の取り付け機構２は、画像表示装置１の背面３を図示しない壁面に固定した取り付け用壁受け具４に取り付けたものである。画像表示装置１の背面３は図２に示すように、例えば四辺に形成された薄板状の薄型面５と、薄型面５で囲われて形成されていて薄型面５よりも厚みのある中央の厚型部６とで段付きに構成されている。
【００１７】
なお、厚型部６内には通常、電源装置や回路基板等が内蔵されている。画像表示装置１は略長方形板状に形成されており、本実施形態は画像表示装置１の長辺方向を横方向にして取り付け用壁受け具４に取り付け固定するための横置き用の取り付け機構２に関する。
【００１８】
図２に示す画像表示装置１の背面３において、厚型部６の横方向両側に設けた薄型部５において、略Ｕ字形状の取っ手８がネジ止め等で固定されている。
この取っ手８は薄型部５への固定面８ａが略鈍角をなす二面で形成され、各面にそれぞれボルト穴が形成されている。固定面８ａの先端側の面を薄型部５に密着して固定ボルトで固定すると、取っ手８が薄型部５から斜めに起きあがって離間し、把持して運搬等が可能になる。また、固定面８ａの基端側の面を薄型部５に密着して固定ボルトで固定すると、取っ手８が薄型部５に密着した平行状態となる。図１及び図２に示す取っ手８は平行状態であり、取り付け機構２の取り付けの邪魔にならない。
【００１９】
画像表示装置１の背面３において、厚型部６の横方向の対向する側面６ａには略Ｕ字状の取り付け具１０がそれぞれ固定されている。取り付け具１０は画像表示装置１の短手方向に延びる主部１１の両端にアーム部１２が係止部として直交する方向に短く延びており、アーム部１２の先端は略直角に折り曲げられて係止片１２ａが形成されている。各アーム部１２の折り曲げ部の両側にはボルト挿通用の貫通孔１２ｂが形成され、この貫通孔１２ｂに挿通された固定ボルト１３が厚型部６の側面６ａに形成した一対のネジ穴６ｂに螺合されることで、取り付け具１０が厚型部６の側面６ａに固定される。
この状態で、取り付け具１０は取っ手８の上側に位置している。
【００２０】
また、図１及び図３において、取り付け用壁受け具４は図示しない壁面の上側に固定された略Ｕ字型板形状の第一壁部材１５と、第一壁部材１５の下方に離間して固定された略長方形板状の第二壁部材１６とで構成されている。第一壁部材１５は第二壁部材１６よりも幅狭に形成され、第二壁部材１６はその重量と材料使用量を軽減するために複数の孔が形成されている。
図３において、第一壁部材１５は横方向に延びる基板１５ａの両端で上方に延びる起立部１５ｂを有しており、各起立部１５ｂの側端縁には起立部１５ｂに直交する方向に起立片１８が設けられている。
【００２１】
特に図４に示すように、各起立片１８はその上部がＶ字状に切り欠かれた係止受け部１７を有しており、この係止受け部１７に取り付け具１０のアーム部１２が係合して係止保持されている。係止受け部１７は、Ｖ字状の傾斜部１７ａ、１７ｂのうち、取り付け具１０側の傾斜部１７ａの角度α１の方が他方の傾斜部１７ｂの角度α２よりも垂直方向に対する傾斜角が大きくなる（角度α１＞角度α２）ように形成されている。係止受け部１７の傾斜部１７ａが比較的大きいことで、壁面に固定された取り付け用壁受け具４の係止受け部１７に対する画像表示装置１の取り付け具１０のアーム部１２の取り付けと取り外しが容易になる。
【００２２】
図２及び図３において、取り付け具１０の主部１１において、下側のアーム部１２の近傍には貫通孔１９ａが形成された第一固定片１９が直角に折り曲げられて形成され、下端部には貫通孔１９ｂが形成された第二固定片２０が直角に折り曲げられて形成されている。これら第一及び第二固定片は取り付け部を構成する。
一方、第二壁部材１６の両端部には、取り付け具１０の第一固定片１９に重なるように貫通孔が形成された第一折り曲げ片２２が直角に折り曲げられて形成され、更に取り付け具１０の第二固定片２０に重なるように四角形状に切り欠いて直角に折り曲げた第二折り曲げ片２３が形成されている。第二折り曲げ片２３は第一折り曲げ片２２に直交して略水平に形成されている。そして、取り付け具１０の第一固定片１９と第二壁部材１６の第一折り曲げ片２２、または第二固定片２０と第二折り曲げ片２３のいずれか一方または両方が固定ボルト２４とナット２５によって締め込まれて締結されるようになっている。
【００２３】
このように、画像表示装置１の背面３における厚型部６の両側部に設けた薄型部５に取り付け具１０を固定し、この取り付け具１０の上部と下部を、壁面に固定した第一壁部材１５及び第二壁部材１６にそれぞれ固定することで、僅かな間隙Ｋを開けて画像表示装置１を壁面と略平行に保持でき、しかも図１及び図５に示すように、壁面に対して僅かな間隙Ｋを以て固定できる。
例えば、図５に示すように、本実施形態による画像表示装置１の取り付け機構２によれば、壁面と画像表示装置１の背面３の厚型部６との間隙Ｋを約８ｍｍに設定でき、板状の第一壁部材１５及び第二壁部材１６の厚みを３ｍｍとして、これらの第一及び第二壁部材１５，１６を固定した位置では間隙Ｋを５ｍｍに設定できる。
【００２４】
次に、図２において、画像表示装置１の背面３の厚型部６における下側の側面６ａには電気線や信号線等の雌型端子２７が複数配列されている。図２に示す例では、雌型端子２７は厚型部６の下側側面６ａの右側に多く配列されている。これら雌型端子２７に電気線や信号線等の雄型端子２８を接続することで、画像表示装置１が導通状態となり、画像表示可能となる。
そして、図３及び図６〜図７において、第二壁部材１６の画像表示装置１側の面には略中央部に回動可能なストッパー３０が支持部材として設けられ、このストッパー３０は第二壁部材１６上に倒れた位置と第二壁部材１６に直交する方向に起立した位置とを選択的に取り得るようになっている。尚、ストッパー３０が第二壁部材１６上に倒れた場合、ストッパー３０は画像表示装置１の薄型部５と対向する。
【００２５】
上述した構成において、図７に示すように、画像表示装置１の取り付け具１０の第一または第二固定片１９，２０と第二壁部材１６の第一折り曲げ片２２または第二折り曲げ片２３との固定ボルト２４及びナット２５による固定を解除させ、画像表示装置１を取り付け具１０の上側のアーム部１２を第一壁部材１５の起立片１８に設けた係止受け部１７に係止させた状態で、画像表示装置１の下部を壁面から離間する方向に回動させて、第二壁部材１６上で起立させたストッパー３０に係止させることができる。
画像表示装置１は厚型部６の下側の側面６ａが壁面に近接した位置で取り付け用壁受け具４に固定されていると側面６ａに配列させた雌型端子２７に雄型端子２８の接続をし難いが、ストッパー３０によって画像表示装置１の下部を壁面から離間させて図７に示すように傾斜させると、下側の側面６ａに配列させた雌型端子２７に雄型端子２８を容易に接続できる。
【００２６】
次に、図８及び図９において、本実施形態による画像表示装置１では、上述したように、取り付け具１０のアーム部１２及び折り曲げられた係止片１２ａにおいて、固定ボルト１３を貫通孔１２ｂに通して厚型部６の両側面６ａのネジ穴６ｂに螺合して固定できるようにした。この場合には、画像表示装置１は壁面及び取り付け用壁受け具４に略平行に取り付けられる（図５参照）。
これに対し、観察者が床や椅子等に座った状態で画像表示装置１の画像表示面を観察しようとする場合、その視線は仰角になることがあると画像表示部の上側部分が見にくくなる。そのため、画像表示装置１を取り付け用壁受け具４に対して下方に傾斜させた俯角を以て取り付けるようにしてもよく、このような画像表示装置１に俯角を設けた取り付け機構２について図８及び図９により説明する。
【００２７】
図８において、追加の部品として追加部材３２を設ける。この追加部材３２は平面視略長円の板形状であり、その両側に固定ボルト１３を挿通させるための同一形状の貫通孔３２ａ、３２ｂが形成されている。そして、図８に示す例では追加部材３２の長手方向の中央に係止片１２ａの厚さ分だけ段差が形成されている。
そして、図８及び図９に示す取り付け具１０の上側のアーム部１２において、係止片１２ａの貫通孔１２ｂと追加部材３２の一方の貫通孔３２ａに固定ボルト１３を挿通させて係止片１２ａに追加部材３２を連結する。そして、別の固定ボルト１３を追加部材３２の他方の貫通孔３２ｂを通して厚型部６の側面６ａのネジ穴６ｂに螺合させる。
【００２８】
このように構成すれば、図９に示すように、壁面に密着して固定された取り付け用壁受け具４に対して、画像表示装置１の上端部が下端部に対して追加部材３２の長さ分だけ第一壁部材１５から離間することになり、画像表示装置１全体として下方に向けて傾斜した俯角を持たせた状態に保持される。
【００２９】
上述のように本実施形態による画像表示装置１の取り付け機構２によれば、画像表示装置１の背面３における厚型部６の両側部に設けた薄型部５に取り付け具１０をそれぞれ固定し、この取り付け具１０の上部と下部を、互いに分離して壁面に固定した第一壁部材１５及び第二壁部材１６にそれぞれ固定することで、壁面に対して僅かな間隙Ｋを以て画像表示装置１の背面３を平行に設置できる。そして、厚型部６に内蔵した電源装置や基板が駆動時に加熱されても間隙Ｋを通して放熱して画像表示装置１を冷却することができる。
特に取り付け具１０の上側のアーム部１２を第一壁部材１５の起立片１８に設けた係止受け部１７に係合させると共に、取り付け具１０の下部に設けた第一固定部１９と第二壁部材１６の第一折り曲げ片２２または第二固定片２０と第二折り曲げ片２３のいずれか一方または両方が固定ボルト２４とナット２５によって固定されているから、堅固に固定して壁面に保持できる。
【００３０】
また、上述のように画像表示装置１の取り付け具１０を取り付け用壁受け具４で平行に固定保持した状態では、厚型部６の下側の側面６ａと壁面との距離が小さく壁面からの間隙Ｋが小さいために、電気線や信号線等の雌型端子２７に雄型端子２８を装着し難い。
しかしながら、本実施形態によれば、第一及び第二固定片１９，２０と第一及び第二折り曲げ片２２、２３の固定ボルト２４とナット２５による固定を解除し、取り付け具１０の上側のアーム部１２を第一壁部材１５の起立片１８に設けた係止受け部１７に係合させた状態で、画像表示装置１の下部を壁面から離間するように傾斜させてストッパー３０で係止させることができるから、厚型部６の下側の側面６ａに設けた電気線や信号線等の雌型端子２７を雄型端子で接合し易くなり容易に接合できる。
【００３１】
また、取り付け具１０の上側のアーム部１２の係止片１２ａに追加部材３２を取り付けて係止片１２ａの部分の長さを長くして、厚型部６の側面６ａのネジ穴６ｂに固定ボルト１３で固定することで、画像表示装置１に俯角を持たせることができ、表示画面の下方からの観察が容易になる。
【００３２】
なお、本発明による取り付け機構２は上述した第一の実施形態に限定されるものではなく、その趣旨を逸脱しない範囲内で適宜変更可能である。
例えば、上述した第一の実施形態による画像表示装置１では、取り付け用壁受け具４に対して取り付け具１０を介して画像表示装置１をわずかな間隙Ｋで平行に固定保持できるようにした構成と、ストッパー３２で厚型部６の雌型端子２７を設けた側面６ａを壁面から離間させた構成と、画像表示装置１をアーム部１２の係止片１２ａに追加部材３２で俯角を持たせる構成とを全て備えているが、このような構成に代えて、これら３種の構成は取り付け機構２に個別に設けても良く、或いは選択的に任意の２種の構成を設けても良い。
【００３３】
また、本発明の第二の実施形態による画像表示装置１の取り付け機構３５について図１０乃至図１５により説明するが、上述した第一の実施形態による画像表示装置１の取り付け機構２と同一または同様な部材や部品には同一の符号を用いて説明を省略する。
図１０に示す画像表示装置１の取り付け機構３５は、略長方形状に形成された画像表示装置１の長辺方向を縦方向にして取り付け用壁受け具３６に取り付け固定するための縦置き用の取り付け機構に関する。
【００３４】
図１０及び図１１に示す画像表示装置１は略長方形板状で長手方向を上下方向（縦方向）に配設している。図１１に示す画像表示装置１の背面３において、厚型部６の縦方向に対向する薄型部５には取り付け具として、それぞれ板状の上部取り付け具３７と下部取り付け具３８が、厚型部６の上下の側面６ａのねじ穴６ｂにそれぞれ固定ボルト１３によって固定されている。
【００３５】
上部取り付け具３７は画像表示装置１の短手方向に延びる主部３９の両端に係止部４０が直交する方向に短く延びており、係止部４０の先端係止部４０ａは略Ｌ字形状とされている（図１３参照）。先端係止部４０ａのＬ字形状は壁面側部分が下方に長く延びている。
主部３９の両端に設けた係止部４０の内側には、第一実施形態と同一構成の一対のアーム部１２が設けられ、アーム部１２から略直角に折り曲げられた係止片１２ａに形成された貫通孔１２ｂに固定ボルト１３を挿通して厚型部６の側面６ａのネジ穴６ｂに螺合して固定させている。
なお、係止部４０には二つの貫通孔４０ｂ、４０ｃが形成され、上側の貫通孔４０ｃの裏面にはナット４４が固着されている。
【００３６】
また、下部取り付け具３８は画像表示装置１の短手方向に延びる主部４１の両端が略Ｕ字状に屈曲して屈曲部４２が形成され、この屈曲部４２の凹部４２ａに形成した貫通孔に固定ボルト１３を挿通して厚型部６の側面６ａのネジ穴６ｂに螺合して固定させている。そして、屈曲部４２の外側には主部３９よりも下方に延びるスリット４３ａを設けた係止凹部４３が取り付け部として形成されている。
ここで、スリット４３ａの長さは上述した上部取り付け具３７の係止部４０の先端係止部４０ａの長さより長く設定されている。
【００３７】
また、図１０及び図１２において、取り付け用壁受け具３６は図示しない壁面の上側に固定された略長方形板状の第一壁部材４５と、第一壁部材４５の下方に離間して固定された略長方形板状の第二壁部材４６とで構成されている。これら第一及び第二壁部材４５，４６はその重量と材料使用量を軽減するために例えば複数の孔が形成されている。
図１２は取り付け用壁受け具３６の画像表示装置１側の面を示すものであり、第一壁部材４５は横方向に延びる基板４５ａの一方の端部または両方の端部に屈曲部４７が形成され、この屈曲部４７の一方には支持部材として、索状部材、例えばチェーン４８の一端が締結ボルト４９によって固定されている。そして、チェーン４８の他端を上部取り付け具３７の係止部４０の貫通孔４０ｃに固定ボルト１３によって固定する。
【００３８】
なお、屈曲部４７のチェーン４８を設けたサイドは、画像表示装置１の厚型部６における雌型端子２７が形成された右側の側面６ａ側とされている（図１０、図１５参照）。
また、屈曲部４７の下側には、同様に基部４５ａの両端に一対の折り曲げ部５０が形成され、この折り曲げ部５０には内側に向かって係止受け部として係止ボルト５２が螺合して固定され、更に貫通孔５３が形成されている。この係止ボルト５２に上述した上部取り付け具３７の係止部４０の先端係止部４０ａが係止させられるようになっている。
【００３９】
また、図１２及び図１４において、第二壁部材４６にはその基部４６ａの両側に切り欠け部を画面表示装置１側に断面略Ｌ字状に折り曲げた係合受け部５４が固定受け部としてそれぞれ形成され、この係合受け部５４に設けた係合孔５４ａに隣接して折り曲げられた係合片５４ｂを有している。この係合片５４ｂに下部取り付け具３８の係止凹部４３が嵌合して係合することになる。
そして、第一壁部材４５と第二壁部材４６は上下方向に離間しており、画像表示装置１の厚型部６を挟む上下の薄型部５に対向する位置に固定されている。
【００４０】
本第二実施形態による画像表示装置１の取り付け機構３５は、画像表示装置１の上部取り付け具３７に設けた係止部４０の略Ｌ字形状をなす先端係止部４０ａを第一壁部材４５の折り曲げ部５０から内側に突出させた係止ボルト５２に係止させる。これと同時に、下部取り付け具３８に設けた係止凹部４３を、壁面に固定された第二壁部材４６の係合受け部５４における係止片５４ｂに嵌合させる。
【００４１】
ここで、下部取り付け具３８の係止凹部４３のスリット４３ａの長さは、上部取り付け具３７の係止部４０の先端係止部４０ａの突出長さより長く設定されているから、先に係止凹部４３のスリット４３ａを第二壁部材４６の係止片５４ｂに嵌合させ、次いで上部取り付け具３７の係止部４０の先端係止部４０ａを第一壁部材４５の係止ボルト５２からなる係止受け部に係止させる。そして、固定ボルト１３を第二壁部材４５の折り曲げ部５０の貫通孔５３を通して上部取り付け具３７の係止部４０に設けた貫通孔４０ｂを通して裏面に固定したナット４４に螺合することで、画像表示装置１を第一及び第二壁部材４５，４６に係合させて背面３を平行に固定保持できる。
【００４２】
また、画像表示装置１の厚型部６の一方の側面６ａに設けられた電気線や信号線の雌型端子２７に雄型端子２８を接合する場合、取り付け用壁受け具３６の第一壁部材４５の折り曲げ部５０と上部取り付け具３７の係止部４０を連結した固定ボルト１３をナット４４から取り外す。
そして、画像表示装置１を若干持ち上げて上部取り付け具３７の係止部４０の先端係止部４０ａを第一壁部材４５の折り曲げ部５０に固定した係止ボルト５２から離脱させる。このとき、下部取り付け具３８の係止凹部４３が第二壁部材４６の係合受け部５４の係止片５４ｂから離脱しない程度に持ち上げれば、先端係止部４０ａだけが係止ボルト５２から離脱する。
【００４３】
次いで、画像表示装置１を壁面から離間する方向に傾斜させると、図１５に示すように、画像表示装置１は第一壁部材４５と上部取り付け具３７とを連結するチェーン４８を緊張させて傾斜状態に保持される。この状態で、画像表示装置１の厚型部６の雌型端子２７を配列させた側面６ａはチェーン４８を連結したサイドに設けられているから、壁面との間隙が大きいために雄型端子２８を雌型端子２７に装着することが容易であり、更にその荷重はチェーン４８を介して第一壁部材４５によって受けることができるから、画像表示装置１が荷重を受けて動いたり変形したりすることを抑制できる。
【００４４】
また、本発明による画像表示装置１の取り付け機構２、３５は、背面３の厚型部６を囲うように周囲四辺に薄型部５を形成して取り付け具１０または３７，３８を設けたが、横置き用では少なくとも厚型部６の左右両側、縦置き用では少なくとも厚型部６の上下両側に薄型部５が形成されていればよい。
或いは、横置き用や縦置き用の画像表示装置１に関わらず、厚型部６の左右両側または上下両側のいずれかに薄型部５が形成され取り付け具１０または３７，３８を取り付けてもよい。この場合、縦置き用の画像表示装置１であっても厚型部６の左右両側に薄型部５を形成して取り付け具１０をそれぞれ設置して、取り付け用壁受け具４の第一壁部材１５と第二壁部材１６に取り付けるようにしてもよい。或いは、横置き用の画像表示装置１であっても厚型部６の上下両側に薄型部５を形成して取り付け具３７，３８をそれぞれ設置して、取り付け用壁受け具３６の第一壁部材４５と第二壁部材４６に取り付けるようにしてもよい。
また、取り付け用壁受け具４、３６は第一壁部材１５，４５と第二壁部材１６、４６に分割して形成する必要はなく、一体に連結して形成してもよい。この場合には、画像表示装置１と取り付け用壁受け具４、３６との間隙は全体に例えば５ｍｍ程度になる。
【符号の説明】
【００４５】
１  画像表示装置
２、３５  取り付け機構
３  背面
４、３６  取り付け用壁受け具
５  薄型部
６  厚型部
６ａ  側面
１０  取り付け具
１２  アーム部
１２ａ  折り曲げ片
１５、４５  第一壁部材
１６、４６  第二壁部材
１７  係止受け部
１８  起立片
１９  第一固定片
２０  第二固定片
２２  第一折り曲げ片
２３  第二折り曲げ片
２７  雌型端子
２８  雄型端子
３０  ストッパー
３７  上部取り付け具
３８  下部取り付け具
４０  係止部
４０ａ  先端係止部
４３  係止凹部
４３ａ  スリット
４８  チェーン
５２  係止ボルト
５４  係合受け部
５４ｂ  係合片
【図１】
2013008286.tif 000003
【図２】
2013008286.tif 000004
【図３】
2013008286.tif 000005
【図４】
2013008286.tif 000006
【図５】
2013008286.tif 000007
【図６】
2013008286.tif 000008
【図７】
2013008286.tif 000009
【図８】
2013008286.tif 000010
【図９】
2013008286.tif 000011
【図１０】
2013008286.tif 000012
【図１１】
2013008286.tif 000013
【図１２】
2013008286.tif 000014
【図１３】
2013008286.tif 000015
【図１４】
2013008286.tif 000016
【図１５】
2013008286.tif 000017
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
画像表示装置を壁面に固定する画像表示装置の取り付け機構であって、
前記画像表示装置の背面が中央の厚型部とその周辺部の薄型部とで段差が形成されてなり、前記厚型部を挟む両側の前記薄型部に取り付け具をそれぞれ固定し、前記取り付け具を壁面に固定した取り付け用壁受け具に係止することで前記画像表示装置を取り付けるようにしたことを特徴とする画像表示装置の取り付け機構。
【請求項２】
前記取り付け用壁受け具は、前記取り付け具の上部に設けた係止部を係止可能な係止受け部と前記取り付け具の下部の取り付け部を固定する固定受け部とを、高さ方向の異なる位置にそれぞれ設けたことを特徴とする請求項１に記載された画像表示装置の取り付け機構。
【請求項３】
前記取り付け用壁受け具は、前記係止受け部を設けた第一壁部材と前記固定受け部を設けた第二壁部材と、に分割されている請求項２に記載された画像表示装置の取り付け機構。
【請求項４】
前記画像表示装置の背面における厚型部の側面には電気線及び／または信号線を接合する端子が配列されており、前記取り付け用壁受け具には前記画像表示装置の厚型部の前記端子を壁面に対して近接する位置から離間する位置まで変位させて支えるための支持部材が設けられている請求項１乃至３のいずれか１項に記載された画像表示装置の取り付け機構。
【請求項５】
前記画像表示装置の背面における薄型部に固定された取り付け具の上部には、前記厚型部の側面に締結具で固定可能な係止片が設けられており、該係止片に着脱可能な追加部材を連結して長さを延長させ、該追加部材の他端を前記厚型部の側面に前記締結具で固定することで、前記画像表示装置を前記追加部材の長さに応じて前記壁面に対して傾斜状態で保持させてなる請求項１乃至４のいずれか１項に記載された画像表示装置の取り付け機構。
【請求項６】
前記取り付け具の上部に設けたアーム部に前記係止片が設けられている請求項５に記載された画像表示装置の取り付け機構。
【請求項７】
画像表示装置を壁面に固定する画像表示装置の取り付け方法であって、
前記画像表示装置は背面が中央の厚型部とその周辺部の薄型部とで段差が形成されてなり、
前記厚型部を挟む両側の前記薄型部に取り付け具をそれぞれ固定する工程と、
前記取り付け具を壁面に固定した取り付け用壁受け具に係止することで前記画像表示装置を取り付ける工程と、
を有することを特徴とする画像表示装置の取り付け方法。
【手続補正３】
【補正対象書類名】明細書
【補正対象項目名】０００１
【補正方法】変更
【補正の内容】
【０００１】
本発明は、液晶ディスプレイ等の各種のディスプレイからなる薄型等の画像表示装置を壁面に取り付ける壁掛け方式の画像表示装置の取り付け機構及び取り付け方法に関する。
【手続補正４】
【補正対象書類名】明細書
【補正対象項目名】０００７
【補正方法】変更
【補正の内容】
【０００７】
本発明は、このような課題に鑑みて、画像表示装置の背面からの放熱性を確保しながらも壁面からの突出長さを短く設定して室内のスペースを有効利用できるようにした画像表示装置の取り付け機構及び取り付け方法を提供することを目的とする。
【手続補正５】
【補正対象書類名】明細書
【補正対象項目名】００１３
【補正方法】変更
【補正の内容】
【００１３】
また、取り付け具の上部に設けたアーム部に係止片が設けられていることが好ましく、アーム部を取り付け用壁受け具の係止受け部で係止させると共に、その先端側の係止片を設けることで、係止片を厚型部の側面に固定したり、係止片に追加部材を装着して追加部材の他端を厚型部の側面に固定したりすることができ、取り付け具によって画像表示装置に固定したり、画像表示装置を取り付け用壁受け具へ平行に固定したり、追加部材を追加することで俯角を持たせて支持したりすることができる。
また、本発明による画像表示装置の取り付け方法は、画像表示装置を壁面に固定する画像表示装置の取り付け方法であって、画像表示装置は背面が中央の厚型部とその周辺部の薄型部とで段差が形成されてなり、厚型部を挟む両側の前記薄型部に取り付け具をそれぞれ固定する工程と、取り付け具を壁面に固定した取り付け用壁受け具に係止することで画像表示装置を取り付ける工程と、を有することを特徴とする。
【手続補正６】
【補正対象書類名】明細書
【補正対象項目名】００１４
【補正方法】変更
【補正の内容】
【００１４】
上述したように、本発明による画像表示装置の取り付け機構及び取り付け方法によれば、画像表示装置の背面における厚型部の両側に設けられた薄型部に取り付け具を固定して、壁面に固定した取り付け用壁受け具に係止したから、厚型部に取り付け具を設けて壁面に固定した画像表示装置と比較して、壁面からの突出長さを小さく設定できることになり、室内の有効スペースを広く取ることができると共に審美性が高い。
しかも、画像表示装置の取り付け具と壁面に固定した取り付け用壁受け具とを係止するようにしたから、少なくとも取り付け用壁受け具の取り付け具に対向する突出部分だけ画像表示装置の背面の厚型部と壁面との間隙を形成できるから厚型部からの放熱性を確保できる。
【国際調査報告】
2013008286.tif 000018
2013008286.tif 000019
2013008286.tif 000020
2013008286.tif 000021